(57)【特許請求の範囲】
【請求項１】
再生方式の異なる各種ソースの音声データを読み出して再生する複数の読出手段を備えた車載用再生装置であって、
ランダム再生、リピート再生の内の少なくとも一つを含む再生設定情報を前記複数の読出手段に対して個別に設定するか或いは一括して設定するかを選択するための操作部と、
前記複数の読出手段についてそれぞれ設定された各再生設定情報を記憶する記憶部と、
前記記憶部に記憶された前記再生設定情報に基づいて前記複数の読出手段の動作を制御する制御部と、を備え、
前記制御部は、前記再生設定情報を前記複数の読出手段に対して一括して設定することが選択された場合に、前記記憶部に記憶された前記複数の読出手段の各再生設定情報を一括して設定可能とされていることを特徴とする車載用再生装置。
【請求項２】
前記操作部は、前記再生設定情報を前記複数の読出手段に対して一括して設定する場合には、さらに前記複数の読出手段のうちいずれの読出手段に対して一括して設定するかを選択可能とされており、
前記制御部は、一括して設定するとして選択された範囲の読出手段に対して前記記憶部に記憶された各再生設定情報を一括して設定可能とされていることを特徴とする請求項１に記載の車載用再生装置。
【請求項３】
設定された表示内容に基づいて表示を行う表示部を備え、
前記操作部は、前記表示内容を設定し、かつ、前記表示内容を前記複数の読出手段に対して個別に設定するか或いは一括して設定するかを選択可能で、
前記記憶部は、前記複数の読出手段について設定された前記表示内容をそれぞれ記憶し、
前記制御部は、前記操作部を介して前記表示内容を複数の読出手段に対して一括して設定することが選択された場合に、前記記憶部に記憶された前記複数の読出手段の各表示内容を一括して設定可能とされていることを特徴とする請求項１または請求項２に記載の車載用再生装置。
【請求項４】
前記操作部は、前記表示内容を前記複数の読出手段に対して一括して設定する場合には、さらに前記複数の読出手段のうちいずれの読出手段に対して一括して設定するかを選択可能とされており、
前記制御部は、一括して設定するとして選択された範囲の読出手段に対して前記記憶部に記憶された各表示内容を一括して設定可能とされていることを特徴とする請求項３に記載の車載用再生装置。
【請求項５】
前記操作部は、前記再生設定情報および前記表示内容について、前記表示内容を前記複数の読出手段に対して個別に設定するか或いは一括して設定するか、および前記複数の読出手段に対して一括して設定する場合にはさらに前記複数の読出手段のうちいずれの読出手段を一括して設定するかをそれぞれ独立に選択可能とされており、
前記制御部は、前記再生設定情報および前記表示内容のそれぞれについて、一括して設定するとして選択された各範囲の読出手段に対してそれぞれ前記記憶部に記憶された前記複数の読出手段の各再生設定情報および各表示内容を一括して設定可能とされていることを特徴とする請求項４に記載の車載用再生装置。
【発明の詳細な説明】
【技術分野】
【０００１】
本発明は、車載用再生装置に関する。
【背景技術】
【０００２】
カーオーディオ等の車載用再生装置は、通常、ＣＤ（Compact Disc）ドライブやＭＤ（Mini Disc）ドライブ、ＨＤＤ（Hard Disk Drive）等の各種音声データを読み出して再生する読出手段を備えている（例えば、特許文献１、２等参照）。
【０００３】
このような車載用再生装置では、読出手段に対する設定情報として、ＣＤ等のメディアに記憶されている音声データを最初から順番に読み出して再生するいわゆる通常再生のほかに、記憶されている全音声データの中からランダムに選択して読み出すランダム再生や同一の音声データのみを繰り返し再生するリピート再生等を行うようにオプション設定できるものがある。
【０００４】
また、車載用再生装置の表示画面には、通常、再生されている音声データの再生開始からの時間すなわちタイムコードが表示されるようになっているものが多いが、このほかにも曲名やアルバム名、アーティスト名、ファイル名、フォルダ名等を表示するようにオプション設定できるものもある。
【特許文献１】特開２００３−１５７６６５号公報
【特許文献２】特開２００４−１５１７５６号公報
【発明の開示】
【発明が解決しようとする課題】
【０００５】
しかしながら、このような従来の車載用再生装置では、通常、ＣＤやＭＤ、ＨＤＤ等の各ソースごとに設定情報、すなわち通常再生やランダム再生、リピート再生等のいずれの方法で読み出すかを個別に設定しなければならず、また、表示画面にタイムコードや曲名、アルバム名、アーティスト名、ファイル名、フォルダ名等のいずれを表示させるかを個別に設定しなければならない。
【０００６】
そのため、車載用再生装置に装着される読出手段の数が増えてソースが多様化し、設定情報や表示内容のオプション設定の範囲が広がって多機能化するほど、その設定作業が煩雑になり、車載用再生装置のカスタマイズを容易に行うことが困難になる。
【０００７】
そこで、本発明は、ソースを増設し、設定情報や表示内容が多様化して多機能化しても、容易に設定情報や表示内容の設定を行うことができ、ユーザの好みに応じて容易にカスタマイズすることが可能な車載用再生装置を提供することを目的とする。
【課題を解決するための手段】
【０００８】
前記の問題を解決するために、請求項１の車載用再生装置は、
再生方式の異なる各種ソースの音声データを読み出して再生する複数の読出手段を備えた車載用再生装置であって、
ランダム再生、リピート再生の内の少なくとも一つを含む再生設定情報を前記複数の読出手段に対して個別に設定するか或いは一括して設定するかを選択するための操作部と、
前記複数の読出手段についてそれぞれ設定された各再生設定情報を記憶する記憶部と、
前記記憶部に記憶された前記再生設定情報に基づいて前記複数の読出手段の動作を制御する制御部と、を備え、
前記制御部は、前記再生設定情報を前記複数の読出手段に対して一括して設定することが選択された場合に、前記記憶部に記憶された前記複数の読出手段の各再生設定情報を一括して設定可能とされていることを特徴とする。
【０００９】
請求項２に記載の発明は、請求項１に記載の車載用再生装置において、
前記操作部は、前記再生設定情報を前記複数の読出手段に対して一括して設定する場合には、さらに前記複数の読出手段のうちいずれの読出手段に対して一括して設定するかを選択可能とされており、
前記制御部は、一括して設定するとして選択された範囲の読出手段に対して前記記憶部に記憶された各再生設定情報を一括して設定可能とされていることを特徴とする。
【００１０】
請求項３に記載の発明は、請求項１または請求項２に記載の車載用再生装置において、
設定された表示内容に基づいて表示を行う表示部を備え、
前記操作部は、前記表示内容を設定し、かつ、前記表示内容を前記複数の読出手段に対して個別に設定するか或いは一括して設定するかを選択可能で、
前記記憶部は、前記複数の読出手段について設定された前記表示内容をそれぞれ記憶し、
前記制御部は、前記操作部を介して前記表示内容を複数の読出手段に対して一括して設定することが選択された場合に、前記記憶部に記憶された前記複数の読出手段の各表示内容を一括して設定可能とされていることを特徴とする。
【００１１】
請求項４に記載の発明は、請求項３に記載の車載用再生装置において、
前記操作部は、前記表示内容を前記複数の読出手段に対して一括して設定する場合には、さらに前記複数の読出手段のうちいずれの読出手段に対して一括して設定するかを選択可能とされており、
前記制御部は、一括して設定するとして選択された範囲の読出手段に対して前記記憶部に記憶された各表示内容を一括して設定可能とされていることを特徴とする。
【００１２】
請求項５に記載の発明は、請求項４に記載の車載用再生装置において、
前記操作部は、前記再生設定情報および前記表示内容について、前記表示内容を前記複数の読出手段に対して個別に設定するか或いは一括して設定するか、および前記複数の読出手段に対して一括して設定する場合にはさらに前記複数の読出手段のうちいずれの読出手段を一括して設定するかをそれぞれ独立に選択可能とされており、
前記制御部は、前記再生設定情報および前記表示内容のそれぞれについて、一括して設定するとして選択された各範囲の読出手段に対してそれぞれ前記記憶部に記憶された前記複数の読出手段の各再生設定情報および各表示内容を一括して設定可能とされていることを特徴とする。
【発明の効果】
【００１３】
本発明によれば、カーオーディオ等の車載用再生装置において、ソースを増設し、設定情報や表示内容が多様化して多機能化しても、容易に設定情報や表示内容の設定を行うことができ、ユーザの好みに応じて容易にカスタマイズすることが可能となる。
【発明を実施するための最良の形態】
【００１４】
以下、本発明に係る車載用再生装置の実施の形態について、図面を参照して説明する。
【００１５】
図１は、本実施形態に係る車載用再生装置の構成を示すブロック図である。本実施形態の車載用再生装置１には、各読出手段や各駆動部を制御する制御部２が設けられており、制御部２には、ＣＤドライブ３と、ＭＤドライブ４と、ＨＤＤ５と、外部メディア読出手段６と、出力部７と、表示部８と、操作部９とが電気的に接続されている。なお、本実施形態では、ＣＤドライブ３、ＭＤドライブ４、ＨＤＤ５および外部メディア読出手段６が本発明の複数の読出手段を構成している。
【００１６】
制御部２には、ＥＥＰＲＯＭ（Electrically Erasable Programmable Read-Only Memory）等からなる記憶部１０が設けられており、記憶部１０の所定のアドレス３Ａ、４Ａ、５Ａ、６Ａに指定されたメモリ領域には、各読出手段３〜６についてそれぞれ設定された設定情報が記憶されており、また、記憶部１０の別のアドレス３Ｂ、４Ｂ、５Ｂ、６Ｂに指定されたメモリ領域には、各読出手段３〜６についてそれぞれ設定された表示部７に表示させる表示内容が記憶されている。
【００１７】
本実施形態では、設定情報としてそれぞれ通常再生、ランダム再生およびリピート再生のうちから１つを選択できるようになっており、また、表示内容としてはタイムコード、曲名、アルバム名、アーティスト名、ファイル名およびフォルダ名の中から１つ或いは複数を選択できるようになっている。
【００１８】
制御部２は、ＣＤドライブ３、ＭＤドライブ４、ＨＤＤ５および外部メディア読出手段６の中から音声データを読み出して再生する読出手段が指定されると、記憶部１０からその読出手段についての設定情報を読み出し、その読出手段に送信して各読出手段の動作を制御するようになっている。
【００１９】
また、制御部２は、再生すべき読出手段が指定されると、記憶部１０から設定された表示内容を読み出し、指定された読出手段から送信されてきた音声データを出力部７に送信し、また同時に送信されてきた付帯情報の中からその表示内容に相当する情報を表示部８に送信するようになっている。
【００２０】
ＣＤドライブ３、ＭＤドライブ４およびＨＤＤ５は、それぞれ制御部３ａ、４ａ、５ａを備えており、各制御部３ａ、４ａ、５ａは制御部２から設定情報のデータが送信されてくると、その設定情報に基づいてＣＤ−ＲＯＭ等のメディアに記憶された音声データや付帯情報を読み出して制御部２に送信するようになっている。
【００２１】
また、外部メディア読出手段６がそれ自身図示しない制御部を有するものである場合には、同様に、その制御部が制御部２から送信されてきた設定情報に基づいて外部メディアに記憶された音声データや付帯情報を読み出して制御部２に送信し、また、外部メディア読出手段６がＵＳＢ（Universal Serial Bus）端子に接続されたＵＳＢメモリ等の制御部を備えないものである場合には、制御部２が記憶部１０のアドレス６Ａに指定されたメモリ領域に記憶された設定情報に基づいて外部メディアから音声データや付帯情報を読み出すようになっている。
【００２２】
なお、本実施形態では、ＨＤＤ５には、複数の音声データが、アーティストやアルバム、ジャンルなど同じ条件毎にグループ化されて記憶されている。また、ＨＤＤ５には、前記音声データとともにそれらの音声データの付帯情報、すなわちアーティスト名、アルバム名、ジャンル名、曲名、記憶日時等がそれぞれ音声データに関連付けられて記憶されている。
【００２３】
また、読出手段は、前記ＣＤドライブ３等に限定されず、この他にも例えばカセットテープやＤＶＤ（Digital Versatile Disc）等の各種メディアに記憶された音声データを読み出すものでもよい。また、外部メディア読出手段６は、ＵＳＢ端子に接続されたＵＳＢメモリ等に限定されず、外部メディア読出手段を複数設けることも可能である。
【００２４】
出力部７は、図示しないイヤホンやヘッドホンまたは本体に内蔵されるスピーカ等を備えて構成されており、制御部２から送信されてきた音声データを図示しない増幅回路で増幅し、再生音声信号として外部に出力するようになっている。
【００２５】
表示部８は、蛍光表示管等の発光手段やＬＣＤ（Liquid Crystal Display）等からなる図示しない表示画面を備えており、制御部２から送信されてきた表示内容の情報に基づいて表示画面上にタイムコードやアーティスト名、アルバム名、ジャンル名、曲名、記憶日時、ファイル名、フォルダ名等の表示を行うように構成されている。
【００２６】
操作部９は、再生キー、停止キー、カーソルキーなどの各種キーを備えて構成され、ユーザのキー操作による操作信号を制御部２に出力するようになっている。操作部９では、ソース選択によりＣＤドライブ３、ＭＤドライブ４、ＨＤＤ５および外部メディア読出手段６の中から音声データを読み出すべき読出手段を指定できるようになっている。
【００２７】
また、操作部９では、設定情報および表示内容について、それぞれ独立に、読出手段であるＣＤドライブ３、ＭＤドライブ４、ＨＤＤ５および外部メディア読出手段６について個別に設定するか共通に設定するかを選択することができるようになっており、共通に設定する場合にはさらに読出手段のうちのいずれの読出手段を共通に設定するかを選択できるようになっている。
【００２８】
さらに、操作部９では、個別に或いは共通に設定される読出手段について、設定情報の選択により通常再生No、ランダム再生Raおよびリピート再生Reのいずれかを設定することができるようになっており、また、表示内容の選択によりタイムコードTi、曲名Pr、アルバム名Al、アーティスト名Ar、ファイル名Fiおよびフォルダ名Foの中から１つ或いは複数を設定することができるようになっている。
【００２９】
制御部２の記憶部１０のアドレス３Ａ、４Ａ、５Ａ、６Ａに指定されたメモリ領域には、初期状態では、図２（Ａ）に示すように、ＣＤドライブ３、ＭＤドライブ４、ＨＤＤ５および外部メディア読出手段６の各読出手段についての設定情報として通常再生Noが設定されており、アドレス３Ｂ、４Ｂ、５Ｂ、６Ｂに指定されたメモリ領域には各読出手段についての表示内容としてタイムコードTiが設定されている。
【００３０】
制御部２は、操作部９で、設定情報について、例えば、ＣＤドライブ３およびＭＤドライブ４は共通にランダム再生Raに設定し、ＨＤＤ５および外部メディア読出手段６についてはそれぞれ個別に通常再生Noとリピート再生Reに設定するとして選択された場合には、図２（Ｂ）に示すように、ＣＤドライブ３とＭＤドライブ４についての記憶部１０のアドレス３Ａ、４Ａに指定されたメモリ領域の設定情報「通常再生No」を「ランダム再生Ra」に書き換えて共通に設定し、ＨＤＤ５と外部メディア読出手段６についてのアドレス５Ａ、６Ａに指定されたメモリ領域の設定情報「通常再生No」をそれぞれ「通常再生No」と「リピート再生Re」に書き換えるようになっている。なお、この場合、ＨＤＤ５の設定情報については「通常再生No」から「通常再生No」への書き換えであるから、実際には書き換えは行われない。
【００３１】
また、制御部２は、操作部９で、表示内容について、例えば、ＣＤドライブ３、ＭＤドライブ４およびＨＤＤ５は共通に曲名Prに設定し、外部メディア読出手段６については個別にアルバム名Alに設定するとして選択された場合には、図２（Ｂ）に示すように、ＣＤドライブ３、ＭＤドライブ４およびＨＤＤ５についての記憶部１０のアドレス３Ｂ、４Ｂ、５Ｂに指定されたメモリ領域の表示内容「タイムコードTi」を「曲名Pr」に書き換えて共通に設定し、外部メディア読出手段６についてのアドレス６Ｂに指定されたメモリ領域の表示内容「タイムコードTi」を「アルバム名Al」に書き換えるようになっている。
【００３２】
なお、設定情報および表示内容の一方或いは両方について、図３に示すように読出手段のうちの複数個をそれぞれ共通に設定するとして選択することも可能であり、図４に示すようにすべての読出手段を共通に設定するとして選択することも可能である。また、図２（Ｂ）〜図４における斜線部分は、設定情報および表示内容についてそれぞれ共通に設定するとして選択された範囲を表す。
【００３３】
次に、本実施形態に係る車載用再生装置１の作用について説明する。
【００３４】
車載用再生装置１の初期状態においては、制御部２の記憶部１０の各アドレス３Ａ〜６Ａ、３Ｂ〜６Ｂに指定されたメモリ領域には図２（Ａ）に示したような設定情報および表示内容が記憶されている。
【００３５】
ユーザが操作部９のキー操作により設定情報および表示内容を各読出手段３〜６について共通に或いは個別に設定して選択すると、その操作信号が制御部２に出力され、制御部２はそれに基づいて図２（Ｂ）〜図４に例示したように記憶部１０の各アドレス３Ａ〜６Ａ、３Ｂ〜６Ｂに指定されたメモリ領域の設定情報および表示内容を設定された設定情報および表示内容に書き換えて、共通に設定する範囲については共通に設定する。
る。
【００３６】
続いて、ユーザが操作部９のキー操作により音声データを読み出すべき読出手段を指定すると、その操作信号が制御部２に出力され、制御部２はそれに応じて記憶部１０の所定のアドレスに指定されたメモリ領域から指定された読出手段について設定された設定情報を読み出して、指定された読出手段に送信する。
【００３７】
指定され設定情報が送信された読出手段は、送信されてきた設定情報に基づいてＣＤ−ＲＯＭ等のメディアに記憶された音声データや付帯情報を読み出して制御部２に送信する。
【００３８】
また、制御部２は、ＵＳＢ端子に接続されたＵＳＢメモリ等の制御部を備えない外部メディア読出手段６が指定された場合には、記憶部１０のアドレス６Ａに指定されたメモリ領域に記憶された設定情報に基づいて外部メディアから音声データや付帯情報を直接読み出す。
【００３９】
制御部２は、読出手段から付帯情報が送信され或いは外部メディア読出手段６から付帯情報を読み出すと、記憶部１０の所定のアドレスに指定されたメモリ領域から指定された読出手段について設定された表示内容を読み出して、付帯情報中の表示内容に相当する情報を表示部８に送信して表示画面に表示させる。また、制御部２は、読出手段から音声データが送信され或いは外部メディア読出手段６から音声データを読み出すと、音声データを出力部７に送信して内蔵スピーカ等から出力させる。
【００４０】
このようにして、表示部８の表示画面にはユーザがその読出手段について選択したタイムコード、曲名、アルバム名、アーティスト名、ファイル名およびフォルダ名の中の１つ或いは複数の表示内容が表示され、また、出力部７からはユーザが選択した通常再生、ランダム再生およびリピート再生のいずれかの設定情報で音声データが再生される。
【００４１】
ユーザは、操作部９のキー操作により設定情報および表示内容を再設定することも可能であり、上記とまったく同様にして各読出手段３〜６について共通に或いは個別に設定情報および表示内容を設定して選択することができる。
【００４２】
以上のように、本実施形態に係る車載用再生装置１によれば、読出手段３〜６ごと、すなわちソースごとに設定情報や表示内容を設定することもできるが、すべてのソース或いは一部のソースで設定情報や表示内容を共通に設定することが可能とすることで、ソースごとに設定を行う必要がなくなる。そのため、各ソースについて１つ１つ設定する煩わしさが解消される。
【００４３】
また、例えばランダム再生機能を好んで使うユーザであれば、１つのソースについて設定情報を設定する際に、すべてのソース或いは一部の好みのソースを選択しそれらについて設定情報を共通にランダム再生に設定をすれば、設定されたソースについてランダム再生に設定したか否かを気にすることなくランダム再生を楽しむことが可能となる。
【００４４】
表示内容についても、例えば再生している曲のタイトルが気になるユーザであれば、１つのソースにて表示内容を設定する際に、すべてのソース或いは一部の好みのソースを選択しそれらについて表示内容を共通に曲名に設定をすれば、設定されたソースについて曲名に設定したか否かを気にすることなく曲名を表示させることが可能となる。
【００４５】
このように、設定情報や表示内容の設定をソースごとに個別に設定するか共通に設定するかをオプション選択できるようにすることにで、より自由な設定方法が選択でき、ユーザの好みに合わせた再生を手軽に行えるようになる。
【００４６】
一方、ユーザが、ＭＤやＨＤＤ等に種々のアーティストの楽曲を記憶させているため表示部８にアーティスト名を表示させたいが、ＣＤについてはドライブに挿入したＣＤがどのアーティストのアルバムかは分かっているからアーティスト名は表示させなくてよいと思う場合には、ＣＤドライブ３については曲名のみ、ＭＤドライブ４やＨＤＤ５についてはアーティスト名と曲名とを表示させるというように、自分の好みに合った設定情報や表示内容の選択を行うことが可能となる。
【００４７】
このように、手軽に好みに合った設定情報や表示内容の選択を行うことができるため、車載用再生装置１のカスタマイズを容易に行うことができると同時に、より詳細にカスタマイズを行うことが可能となり、ユーザの利便性と操作性を向上させることが可能となる。
【００４８】
なお、本実施形態では、設定情報や表示内容を記憶する記憶部１０が制御部２に備えられている場合について述べたが、記憶部１０が各読出手段側に備えられていて各読出手段の制御部が直接記憶部から情報を読み出すように構成してもよく、車載用再生装置１の制御部２がその内容を書き換えて共通に設定し得る限り、記憶部１０の設置位置等は限定されない。
【００４９】
また、本実施形態では、設定情報として通常再生、ランダム再生、リピート再生を、また表示内容としてタイムコード、曲名、アルバム名、アーティスト名、ファイル名、フォルダ名を挙げたが、本発明の内容から分かるようにそれらには限定されず、他の設定情報や表示内容が含まれていてもよい。
【図面の簡単な説明】
【００５０】
【図１】本実施形態に係る車載用再生装置の構成を示すブロック図である。
【図２】（Ａ）は記憶部における初期状態の設定例を示し、（Ｂ）は設定情報および表示内容を共通に設定した場合の記憶部を例示した図である。
【図３】設定情報および表示内容を読出手段のうちの複数個をそれぞれ共通に設定した場合の記憶部を例示した図である。
【図４】設定情報および表示内容を読出手段のすべてについて共通に設定した場合の記憶部を例示した図である。
【符号の説明】
【００５１】
１  車載用再生装置
２  制御部
３  ＣＤドライブ
４  ＭＤドライブ
５  ＨＤＤ
６  外部メディア読出手段
９  操作部
１０  記憶部
【図１】
0004654904.tif 000002
【図２】
0004654904.tif 000003
【図３】
0004654904.tif 000004
【図４】
0004654904.tif 000005